Podtech/llm-jp-corpus-v4-ja_patent huggingface dataset:
(57)【要約】      （修正有）【課題】装着する人を首に対する圧迫感から開放し、着脱の際に型くずれせず、手間をかけず、きれいに正確に装着できるネクタイを提供するものである。【解決手段】ネクタイを首に装着するときにできる結び目をそのままの状態で裏面を糸等で固定し、首の後ろに回る部分を所定の長さで切り取った形状としたものとする。また、ネクタイの結び目の中を通過する一連の芯を糸等でネクタイの左右に伸びる部分に固定し、その先端に小片の面ファスナーを固定する。これをあらかじめシャツに固定した面ファスナーに接合して着用する。【選択図】図１
0003116611.tif 000002
【実用新案登録請求の範囲】
【請求項１】
ネクタイを首に装着するときにできる結び目をそのままの状態で糸等で固定し、首の後ろに回る部分を所定の長さ切り取った形状としたもので、ネクタイの結び目の中を通過する一連の芯をネクタイの左右に伸びる部分に固定し、その芯の先端に面ファスナーを固定し、これをあらかじめシャツに固定した面ファスナーに接合して使用するネクタイ。
【考案の詳細な説明】
【技術分野】
【０００１】  本考案は、簡易に着脱することができるネクタイに関する。
【背景技術】
【０００２】  従来のネクタイには、結び目を固定し、首の後ろに回る部分を切り離し、その先端部に吸着片を取り付けたものがある。（例えば特許文献１参照）
また、首の後ろに回る所定の部分を切断し、面ファスナーを利用してシャツに装着するものがある。（例えば実用新案登録文献２、実用新案登録文献３参照）【０００３】  以下、従来のネクタイについて説明する。
（イ）首の後ろに回るため、首に対する圧迫感がある。また、シャツの襟をいったん上げる、ひもを首の後ろに回すなどの手間がかかる。
（ロ）首の後ろに回る部分を所定の長さ切断し、面ファスナーを利用してシャツに装着するものは、そのままでは装着時に結び目の位置が下にずれてしまい、結び目の位置を定めることが困難である。また、装着中にもネクタイの結び目の位置が下にずれ安い。このことから、その都度結び目を直す必要があり、かなり手間がかかってしまう。
また、シャツの中央部を跨いで面ファスナーを取り付けたのでは、ネクタイを取り外した場合に面ファスナーが見えてしまい、このシャツはネクタイを外した状態で着用することは通常の場合には想定できなくなってしまう。また、面ファスナーの接合する力は相当程度強いことから、装着の際には慎重な位置あわせが必要となるとともに、取り外す際にも手間がかかる。さらに面ファスナーをネクタイに固定する際に一連の面ファスナーでは固定する作業が複雑になってしまう。【０００４】
【特許文献１】特許公開２００３−３１３７１３
【実用新案登録文献２】
実用新案公開平９−２４４
【実用新案登録文献３】
実用新案公開平７−２８９１８
【考案の開示】
【考案が解決しようとする課題】
【０００５】  以上に述べた従来のネクタイでは、実際に着脱する際は相当程度の手間がかかる。【０００６】  本考案は、このような従来の構成が有していた問題を解決するものであり、着脱の際の結び目の位置のずれ、結び目の型くずれ、それに伴う結び目の成形作業を解消するとともに、極めて簡単に着脱することを目的とするものである。
【課題を解決するための手段】
【０００７】  本考案は上記目的を達成するためにネクタイを首に装着するときにできる結び目をそのままの状態で裏面を糸等で固定し、首の後ろに回る部分を所定の長さで切り取った形状としたものである。【０００８】  また、ネクタイの結び目の中を通過する一連の芯を糸等でネクタイの左右に伸びる部分に固定し、その先端に小片の面ファスナーを固定するものである。これをあらかじめシャツに固定した面ファスナーに接合して着用する。この場合、シャツに固定する面ファスナーはシャツの襟を降ろした通常の状態では外側から見えないように固定する。【０００９】  また、ネクタイの結び目の中を通過する一連の芯を糸等でネクタイに固定することにより着脱の際の型くずれがなくなることから、着脱の際に結び目を直す必要がない。
【考案の効果】
【００１０】  本考案は上記構成からなることから、以下に示す効果が期待できる。
１  着脱の際に型くずれがない。
２  結び目をシャツの合わせ目の真ん中にあわせることにより鏡を見なくてもきれいに正確にシャツに装着することができる。
３  着脱が容易である。
４  独立した小片の面ファスナーを利用することにより、通常の活動では外れないが、手で外すことは容易にできる。また、一定以上の力がかかると容易に外れる。
５  首の圧迫感が解消される。
【考案を実施するための最良の形態】
【００１１】  以下、本考案の実施の形態を図１、図２、図３に基づいて説明する。
図１において、１はネクタイの結び目の中を通過する一連の芯であり、ネクタイの左右に伸びる部分に固定されている。なお、点線部分は外から見えない部分を示している。【００１２】  ２は面ファスナーであり、上記の芯に固定されている。【００１３】  ３は結び目の部分であり、この部分は糸などで固定してある。【００１４】  シャツの襟の立ち上がり部分で前から見えないところに４の面ファスナーがあらかじめ固定されている。なお、この部分の面ファスナーを長めにしておくことにより、外観上緩めに装着したり、ぴったり装着したりと、通常のネクタイと全く同様に装着することができる。なお、点線は前からは見えないことを示している。
【実施例】  ネクタイの面ファスナー部分をシャツの面ファスナーに接合して使用するものである。実際に着用する際には、片手で結び目を持ち、シャツの真ん中に合わせ、他方の手で左右の面ファスナーを片方ずつシャツの面ファスナーに接合させる。
【図面の簡単な説明】
【図１】ネクタイを裏面から見た外観図
【図２】ネクタイを表面から見た外観図
【図３】面ファスナーの一方を固定するシャツの正面からの外観図
【符号の説明】
１  一連の芯
２  一連の芯に固定した面ファスナー
３  結び目
４  シャツに固定した面ファスナー
【図１】
0003116611.tif 000003
【図２】
0003116611.tif 000004
【図３】
0003116611.tif 000005
(57)【要約】【課題】車両のドア取っ手の発光構造を提供する。【解決手段】車両のドア取っ手、或いは、レバーが自動発光し、車両の夜間走行時、側辺が発光して目を引くので、側辺方向の來車や歩行者が、車両の位置と進行方向を把握することができ、交通事故を防止することができる。取っ手、或いは、レバー表面は、冷光片層を固設し、蛍光材料で、直接、取っ手、或いは、レバーを成型する。更に、透明、或いは、半透明の中空構造に成型することが出来、その内部に、数個のLEDランプを装設し、車両上のランプ電源が、冷光片層、或いは、LEDランプに連接される。【選択図】図１ 
0003116615.tif 000002
【実用新案登録請求の範囲】
【請求項１】
車両のドア取っ手の発光構造であって、車両のドア取っ手、或いは、レバーが自動発光し、車両の夜間走行時、側辺が発光して目を引くので、側辺方向の來車や歩行者が、車両の位置と進行方向を把握することができ、交通事故を防止することができることを特徴とする車両のドア取っ手の発光構造。
【請求項２】
前記取っ手、或いは、前記レバー表面は、冷光片層を固設すると共に、ランプの電源は、前記冷光片層に連接され、ランプを点燈する時、前記冷光片層を導通させて、自動発光させることを特徴とする請求項１に記載の車両のドア取っ手の発光構造。
【請求項３】
前記取っ手、或いは、前記レバー表面は、透明、或いは、半透明の中空構造に成型され、その内部に、数個のLEDランプを装設し、車両上のランプ電源が、前記LEDランプに連接されて、ランプを点燈する時、前記LEDランプを導通させて、自動発光させることを特徴とする請求項１に記載の車両のドア取っ手の発光構造。
【請求項４】
蛍光材料により、前記取っ手、或いは、前記レバーを直接成型し、電源を必要とせずに自動発光することを特徴とする請求項１に記載の車両のドア取っ手の発光構造。
【請求項５】
前記取っ手、或いは、前記レバー表面は、車種のメーカー名や商標等の図案を有することが出来ることを特徴とする請求項１に記載の車両のドア取っ手の発光構造。
【考案の詳細な説明】
【技術分野】
【０００１】
本考案は、車両のドア取っ手の発光構造に関するものであって、特に、車両のドア取っ手のレバーが自動発光し、車両の夜間走行時、側辺が発光して目を引くので、側辺方向の來車や歩行者が、車両の位置と進行方向を把握することができ、構造が簡単で、コストが低く、安全性が高い構造に関するものである。
【背景技術】
【０００２】
生活習慣の変化により、車両は、人々の生活に欠かせない移動手段となっている。車両の数の増加で、道路はますます混雑し、非常に危険である。特に、視界が悪い時、注意が必要である。一般の車両は、夜間走行時、照明設備を備えているが、車両の前、後方に限られているので、前後を走行する車両や歩行者は、すぐに、その車両の存在を把握できるが、側方の車両や歩行者は、その角度の関係で、即座に、暗闇中の車両の走行を判断できないので、交通事故を発生するかもしれない。特に、夜間において、深い色の車両は、その走行に対し、その他の車両や歩行者は、とっさの反応がしにくい。
【考案の開示】
【考案が解決しようとする課題】
【０００３】
本考案は、上述の問題を改善する車両のドア取っ手の発光構造を提供することを目的する。
【課題を解決するための手段】
【０００４】
本考案の車両のドア取っ手の発光構造によると、車両の取っ手、或いは、レバーは、夜間、或いは、暗闇で自動発光する。
【考案の効果】
【０００５】
本考案の車両のドア取っ手の発光構造により、側方の車両や歩行者は、即座に、暗闇中の車両の走行を把握できるので、交通事故の発生を防ぐことが出来る。
【考案を実施するための最良の形態】
【０００６】
図１、及び、図２は、本考案の重点を示す図である。車両１の取っ手１１、或いは、レバー１２は、夜間、或いは、暗闇で自動発光する。車両１の進行中、両側は、光線流軌跡を生成し、車両１側面の人が、容易にその車両の存在を確認し、交通状況を把握して、とっさの判断ができ、交通事故を防ぐ。取っ手１１、或いは、レバー１２表面は、図３で示されるような冷光片層１３を固設する。蛍光材料により、取っ手１１、或いは、レバー１２を直接成型する。更に、取っ手１１、或いは、レバー１２は、透明、或いは、半透明の中空構造に成型する。更に、内部に、図４で示されるように、数個のLEDランプ１４を装設し、車両上のランプの電源は、冷光片層１３、或いは、LEDランプ１４上に連接される。
【０００７】
使用時、ドライバーは、ランプを点燈し、冷光片層１３、或いは、LEDランプ１４を導通させ、取っ手１１、或いは、レバー１２を自動発光させる。ドライバーがランプを消す時、取っ手１１、或いは、レバー１２も自動消灯するので、節電が可能である。また、蛍光材質で、取っ手１１、或いは、レバー１２を直接成型し、日中、太陽光線のエネルギーを吸収して保存し、そのエネルギーを、夜間に自動釈放し、電源を必要とせずに、発光する。
【０００８】
図５は、本考案の発光構造を示す図で、取っ手１１、或いは、レバー１２表面は、専属の各車種のメーカー名、或いは、商標等の図案を設けて、その部分を発光させることが出来、オリジナル化や広告の効果を有する。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の使用状態を示す図である。
【図２】本考案のもう一つの使用状態を示す図である。
【図３】本考案の冷光片層を固設した時の断面図である。
【図４】本考案のLEDランプを装設した時の断面図である。
【図５】本考案の発光構造を示す図である。
【符号の説明】
【００１１】
１…車両
１１…取っ手
１２…レバー
１３…冷光片層
１４…LEDランプ
【図１】
0003116615.tif 000003
【図２】
0003116615.tif 000004
【図３】
0003116615.tif 000005
【図４】
0003116615.tif 000006
【図５】
0003116615.tif 000007
【手続補正書】
【提出日】平成17年9月16日(2005.9.16)
【手続補正１】
【補正対象書類名】図面
【補正対象項目名】図５
【補正方法】変更
【補正の内容】
【図５】
0003116615.tif 000008
(57)【要約】      （修正有）【課題】調味料溜め部の平面形状は如何なる形状であってもよく、蓋体の内側を使用することができる。また、家庭で食品を食するときにも、あらためて小皿を持ち出す必要もなく手数を省くことができる食品容器の蓋体の提供。【解決手段】樹脂材などやその他の材質にて成形される食品容器などの蓋として装着される蓋体に調味料などが入れられるように１ヶ所又は、数ヶ所の凹凸部を設け、食品容器に収納される食品を食する時、該必然的に形成される１ヶ所又は、数ヶ所の凹凸部の内側に、調味料などを入れることができるように構成し、１ヶ所又は、数ヶ所の凹凸部の平面図形が任意の形状に形成可能であり、１ヶ所又は、数ヶ所の凹凸部内側に、容器や袋などに入っている調味料等を収納可能に構成し、且つ１ヶ所又は、数ヶ所の凹凸部の一部分に、容器や袋などに入っている調味料パッケージ等やその他を収納保持できる突起を形成した。【選択図】図３
0003116617.tif 000002
【実用新案登録請求の範囲】
【請求項１】
樹脂材等やその他の材質にて成形される食品容器などの蓋として装着される蓋体に調味料などが入れられるように１ヶ所又は、数ヶ所の凹凸部を設け、食品容器に収納される食品を食する時、該必然的に形成される１ヶ所又は、数ヶ所の凹凸部の内側に、調味料などを入れることができるように構成したことを特徴とする食品容器の蓋体。
【請求項２】
１ヶ所又は、数ヶ所の凹凸部の平面図形が任意の形状に形成可能であることを特徴とする請求項１記載の食品容器の蓋体。
【請求項３】
１ヶ所又は、数ヶ所の凹凸部内側に、容器や袋などに入っている調味料等を収納可能に構成したことを特徴とする請求項１記載の食品容器の蓋体。
【請求項４】
１ヶ所又は、数ヶ所の凹凸部に、容器や袋などに入っている調味料パッケージ等やその他を収納保持できる突起を形成したことを特徴とする請求項１記載の食品容器の蓋体。
【考案の詳細な説明】
【技術分野】
【０００１】  本考案は、樹脂材等やその他の材質で成形される食品容器の蓋体に関するものである。
【背景技術】
【０００２】  従来、食品容器とその蓋に関する種々の考案がなされているが、その例として、登録実用新案第３０５５７７３号公報や特開２００２−２７３３３号公報に開示されているものがある。【０００３】
【特許文献１】  登録実用新案第３０５５７７３号公報
【特許文献２】  特開２００２−２７３３３号公報
【考案の開示】
【考案が解決しようとする課題】
【０００４】  上述した上述した登録実用新案第３０５５７７３号公報に開示されている食品収納容器では、蓋の補強用溝の一部を深くしたり、容器本体と蓋との咬合部を斜めにすることにより醤油等の調味料を溜めることができるように構成しているが、実際の使用時においては容器と蓋が一体的に形成されているので、極めて蓋が不安定であり、調味料等がこぼれやすいものであった。【０００５】  また、特開２００２−２７３３３号公報に開示されているものでは、蓋の内側に形成した凹部に調味料等を予め収納しておくものであって、トップシールを剥がすときに内容物がこぼれやすく、更に電子レンジ等で容器本体内の食品を加熱する際、トップシールの剥離や破裂を生じる場合があって、収納された調味料が一緒になって食品にふりかけられてしまうような問題があった。
【課題を解決するための手段】
【０００６】  本考案の食品容器の蓋体によれば、樹脂材などやその他の材質にて成形される食品容器などの蓋として装着される蓋体に調味料などが入れられるように１ヶ所又は、数ヶ所の凹凸部を設け、食品容器に収納される食品を食する時、該必然的に形成される１ヶ所又は、数ヶ所の凹凸部の内側に、調味料などを入れることができるように構成したことを特徴とし、１ヶ所又は、数ヶ所の凹凸部の平面図形が任意の形状に形成可能であることを特徴とし、１ヶ所又は、数ヶ所の凹凸部内側に、容器や袋などに入っている調味料等を収納可能に構成したことを特徴とし、且つ１ヶ所又は、数ヶ所の凹凸部に、容器や袋などに入っている調味料パッケージ等やその他を収納保持できる突起を形成したことを特徴とする食品容器の蓋体を提供するものである。
【考案の効果】
【０００７】  本考案の食品容器の蓋体によれば、蓋体を裏返しにしたときに蓋体の内側に形成されている一ヶ所又は、数ヶ所の調味料溜め部が各々の調味料の小皿として応用できるものであり、食品容器に収納される食品を食するときに蓋体を裏返にして置き、凹凸部の内側に必然的に形成される１ヶ所又は、数ヶ所の調味料溜め部の内側に、調味料などを入れることができるように構成されており、調味料溜め部の平面形状は如何なる形状であってもよく、蓋体の内側を使用することができる。また、家庭で食品を食するときにも、あらためて小皿を持ち出す必要もなく手数を省くことができる。
【考案を実施するための最良の形態】
【０００８】  以下、図面に基づいて本考案の構成を具体的に説明する。
図面において、図１は本考案に係る食品容器の蓋体の実施例を示す斜視図である。図２は図１のＡ−Ａ線断面図である。図３は本考案に係る食品容器の蓋体の他の実施例を示す斜視図である。図４は図２のＢ−Ｂ線断面図である。図５は本考案に係る食品容器の蓋体の他の実施例を示す斜視図である。図６は図５のＣ−Ｃ線断面図である。【０００９】  図１乃至図２で示す実施例では、蓋体１を食品容器（図示せず）裏返しにして、凹凸部２によって調味料溜め部２１が形成される。図３乃至図４で示す実施例では、複数の調味料溜め部２２，２３が形成される。図５乃至図６で示す実施例では、カギ状突起３，３によって保持されていた調味料パッケージ４を取り除き、調味料溜め部３１に調味料をいれることができる。凹凸部２の数や平面形状又は必要に応じて任意に形成することが可能であり、それらの設計変更は基本的にこの技術内容に属するものである。【００１０】  すなわち、本考案の食品容器の蓋体によれば、食品容器に収納される食品を食する時、該必然的に形成される１ヶ所又は、数ヶ所の凹凸部２の内側に、調味料溜め部が形成され、１ヶ所又は、数ヶ所の凹凸部２の平面図形が任意の形状に形成可能であり、１ヶ所又は、数ヶ所の凹凸部２内側に、容器や袋などに入っている調味料パッケージ４等やその他を収納保持できる突起３，３が形成されている食品容器の蓋体を提供するものである。
【図面の簡単な説明】
【００１１】
【図１】本考案に係る食品容器の蓋体の実施例を示す斜視図である。
【図２】図１のＡ−Ａ線断面図である。
【図３】本考案に係る食品容器の蓋体の他の実施例を示す斜視図である。
【図４】図２のＢ−Ｂ線断面図である。
【図５】本考案に係る食品容器の蓋体の他の実施例を示す斜視図である。
【図６】図５のＣ−Ｃ線断面図である。
【符号の説明】
【００１２】  １．蓋体
２．凹凸部
２１．調味料溜め部
２２．調味料溜め部
２３．調味料溜め部
３．カギ状突起
３１．調味料溜め部
４．調味料パッケージ
【図１】
0003116617.tif 000003
【図２】
0003116617.tif 000004
【図３】
0003116617.tif 000005
【図４】
0003116617.tif 000006
【図５】
0003116617.tif 000007
【図６】
0003116617.tif 000008
(57)【要約】      （修正有）【課題】小型扇風機をより小さくして持ち歩き可能にして、何処でも使えるように折りたたみ收納出来る小型携帯扇風機の提供。【解決手段】まづ軸を折りたたみ又收納の際にかさばる羽根を折りたたみ式にして又收能時の安全の為第２スイッチを設け收納時はオフになるようにした。【選択図】図２
0003116619.tif 000002
【実用新案登録請求の範囲】
【請求項１】
收納式で遠心力と風圧で開く羽根を取り付け收納過程に於て安全スイッチの働く小型携帯扇風機
【考案の詳細な説明】
【技術分野】
【０００１】本考案は收納式で携帯可能の小型扇風機に関するものである。
【背景技術】
【０００２】本来の小型扇風機はその状態での收納は不可能である、今回考案した技術はその型を簡単に折りたたみ收納することが出来る。
【考案の開示】
【考案が解決しようとする課題】
【０００３】何処へでも持ち歩く為には本体をより小さく薄くする必要がある。
【課題を解決する為の手段】
【０００４】考案したのが茎の根本をネジで止めて折りたたむ方法である。
【考案の効果】
【０００５】多汗症の人が持ち歩き可能故行く先々で簡単に使えて便利である。
事務机又化粧台などスペースの狭い所でも小型故場所を取らず風呂あがり汗がふき出す時など少し回すだけで汗が干く又事務机など机の位置により冷房の届かない場所での使用も便利である。
【考案の実施するための最良の形態】
【０００６】
0003116619.tif 000003
もし何かにふれてスイッチが入ればモーターが熱を持つ可能性がある為に発案したのが第２安全スイッチである、図２の内に示すように茎が直立から收納時の角度９０度に対し收納位置と直立の中間点４５度になっ
0003116619.tif 000004
によって收納時は第２スイッチがＯＦになりメインスイッチが入っても安全である。
【実施例】
【０００７】以下添付図面に従って実施例を説明する。図１は上から收納時の横面、平面、後面と收納ボックスの上蓋を開いた図、図２は茎、モーター羽根を上に上げた図と收納時と直立の時スイッチがＯＮ、ＯＦになる図と上蓋を閉めて本体が使用可能となった図、図３は羽根、モーター茎を分解した図と收納ボックスを前面斜上から見たところ、各部品は実物大である。
図４は收納ボックスを斜後から見た図である。
【図面の簡単な説明】
【０００８】
【図１】收納ボックス横面、平面、後面、上蓋を開いた図
【図２】軸羽根を引き出した図と安全スイッチ分解図と羽根起き図
【図３】分解図
【図４】後方斜上から見た收納ボックス
【符号の説明】
【０００９】１      收納ボックス横面
２      收納ボックス上面
３      收納ボックス後面
４      收納ボックスの上蓋を開いた図
５      收納ボックスより軸羽根を出した図
６      扇風機の羽根を起こしスイッチを入れゝば回転可能の図
７      回転羽根、回転時手がふれてもやわらかな素材故安全
８      モーター
９      モーターカバー
0003116619.tif 000005
１１    收納ボックス前斜上から見た内面
0003116619.tif 000006
１４    真鍮板と真鍮棒一体形前方
0003116619.tif 000007
１６    電池固定板
１７    メインスイッチ裏側
１８    收納ボックス上蓋
１９    收納ボックス斜後からの内面
【図１】
0003116619.tif 000008
【図２】
0003116619.tif 000009
【図３】
0003116619.tif 000010
【図４】
0003116619.tif 000011
(57)【要約】【課題】  クッション性をよくした靴下であって、夜間のウオーキング等に適した発光靴下を提供する。【解決手段】  表糸Ｘと裏糸Ｙとを使用した添え糸編組織で編成され、表糸Ｘは天然繊維、裏糸Ｙはポリウレタン弾性糸からなるパイル編で編成された靴下であって、足首部に光反射性を有する材料を配合したシートＬを縫着した靴下を構成する。【選択図】      図１
0003116616.tif 000002
【実用新案登録請求の範囲】
【請求項１】
表糸と裏糸とを使用した添え糸編組織で編成され、表糸は天然繊維、裏糸はポリウレタン弾性糸からなるパイル編で編成された靴下であって、足首部に光反射性を有する材料を配合したシートを縫着したことを特徴とする靴下。
【請求項２】
前記光反射性を有する材料は、ポリエステル繊維またはナイロン繊維からなる基布の表面にガラス粉末を接着剤で接着した請求項１記載の靴下。
【請求項３】
前記接着剤はアクリル樹脂からなる光反射層で基布に塗布した請求項１記載の靴下。
【考案の詳細な説明】
【技術分野】
【０００１】
本考案は靴下に関するものであり、更に詳しくは、夜間のウオーキング等に適した光反射性靴下に関するものである。
【背景技術】
【０００２】
散歩やランニングをする場合、靴下は、クッション性が良好で蒸れや汗によるべたつき感がなく、吸湿性があり更に放湿性があものが要求されている。一方、夜間、散歩やランニングをする場合、自動車の運転者が歩行者等の確認が容易であるように歩行者等に標識を付与するものは多数提供されている。
【０００３】
散歩やランニングをする際、履いた靴下は足底部に体重がかかるので、足底部分のクッション性が重要な要素となっている。そこで、靴下の足底部分にパイル編組織で編成し、クッション性をよくした靴下が提案されている（実開平７−４２７７８号公報）。
また、靴下の足底部分を厚編地にし、足底部を補強した靴下が提案されている（実用新案登録第３０２８４７０号公報）。
【特許文献１】実開平７−４２７７８号公報
【特許文献２】実用新案登録第３０２８４７０号公報
【０００４】
しかし、上記先行技術は、夜間、散歩やランニングをしている者等の確認が容易であるように標識を付与するものではない。
【０００５】
また、発光部または光反射部を設けることによって夜間散歩やランニングをしている歩行者の確認を容易にする靴下は公知である。（特開平１１−８１０１２号公報）。
【特許文献３】特開平１１−８１０１２号公報
【０００６】
上記編成靴下は、原糸と蓄光性を有する発光糸または光反射性を有する発光糸からなる複合糸で編成したものである。
蓄光顔料は紫外線を受けているときにそのエネルギーを内部に蓄え、光がなくなった瞬間に発光する性質を備えており、蛍光顔料は紫外線、蛍光灯、太陽光、自動車のライト等を受けたときに発光するものである。
蓄光顔料は黄緑、青、澄、赤の４色の発光しか得られない。また、蛍光顔料は紫外線を受けたときだけ発光する。
【０００７】
したがって、上記編成靴下は、必ずしも夜間散歩やランニングをしている歩行者の確認ができない欠点がある。
【考案の開示】
【考案が解決しようとする課題】
【０００８】
上記の事情に鑑み、本考案は、クッション性をよくした靴下であって、夜間のウオーキング等に適した光反射性靴下を提供することを課題とするものである。
【課題を解決するための手段】
【０００９】
本考案は上記目的を達成するために、表糸と裏糸とを使用した添え糸編組織で編成され、表糸は天然繊維、裏糸はポリウレタン弾性糸からなるパイル編で編成された靴下であって、足首部に光反射性を有する材料を配合したシートを縫着した靴下を構成するものである。
【考案の効果】
【００１０】
本考案は、表糸は天然繊維、裏糸はポリウレタン弾性糸からなり、裏糸はパイル編で編成された靴下に構成したので、夏は蒸れや汗によるべたつき感がなく、吸湿性があり更に放湿性があり、また、冬は着用によって暖かく、伸縮性が良好な靴下を提供することが出来る。
また、足首部に光反射性材料を配合したシートを縫着したので、夜間、暗い場所で、自動車のライトによって散歩やランニングをしている歩行者の確認ができるという効果を奏するものである。
【考案を実施するための最良の形態】
【００１１】
以下、本考案の実施例を図面に基づいて詳しく説明する。図１は、本考案の靴下の概略を示す正面図、図２は、本考案の足首部に発光性材料を配合シートを縫着した靴下の編成組織を示す拡大図である。
【００１２】
図１、図２に示すように、靴下Ｓは、綿糸等の天然繊維からなる表糸Ｘと、ポリウレタン弾性糸からなる裏糸Ｙからなる添糸編組織から編成されている。口ゴム部Ｍは、ポリウレタン弾性糸等のゴム糸を使用しており、脚部Ａと足甲部Ｋは縦筋の縞模様に編成されている。また、爪先部Ｎと足底部Ｂと踵部Ｈは、パイル編に編成されている。
【００１３】
図１に示すように、脚部Ａの上方の足首部には、光反射性を有する材料を配合したシートを縫着し光反射部Ｌを形成する。
【００１４】
光反射性を有する材料は、ポリエステル繊維またはナイロン繊維からなる基布の表面にガラス粉末を接着剤で接着したものからなる。
前記接着剤はアクリル樹脂からなる光反射層で基布に塗布したものであってもよい。
【００１５】
また、蛍光顔料が耐光性に劣り、屋外で使用することができないので、蓄光顔料５０ｇに対して、蛍光顔料５ｇを添加して十分に混合した粉末にアクリル系樹脂を３０ｇ添加して塗料とする。この顔料をポリエステル繊維またはナイロン繊維からなる基布の表面に塗布して、脚部Ａの上方の足首部に縫着し発光部Ｌを形成してもよい。
【産業上の利用可能性】
【００１６】
本考案は、光反射性靴下のみならず、衣服にも適用できる。
【図面の簡単な説明】
【００１７】
【図１】本考案の靴下の概略を示す正面図である。
【図２】本考案の爪先部と足底部と踵部のパイル編に編成された部分の編成組織の拡大図である。
【符号の説明】
【００１８】
Ｓ      靴下
Ｘ      表糸
Ｙ      裏糸
Ｍ      口ゴム部
Ａ      脚部
Ｋ      足甲部
Ｎ      爪先部
Ｂ      足底部
Ｈ      踵部
Ｌ      光反射部
【図１】
0003116616.tif 000003
【図２】
0003116616.tif 000004
【手続補正書】
【提出日】平成17年9月21日(2005.9.21)
【手続補正１】
【補正対象書類名】実用新案登録請求の範囲
【補正対象項目名】請求項３
【補正方法】変更
【補正の内容】
【請求項３】
前記接着剤はアクリル樹脂からなる光反射層で基布に塗布した請求項２記載の靴下。
(57)【要約】【課題】本考案は施工が簡便で脱落の危険が少ない構造を備えた棚装置を提供する。【解決手段】本考案はネジ又はピンＦによって壁面Ｗに固定され且つ上縁に上向きの凹条又は凸条ｓ１を形成し且つ上面がほぼ水平な凸条ｓ２を手前方向に突設する垂直支持片Ｓに、壁面方向基端に下向きの凸条又は凹条ｔ１を形成する棚板Ｔを上方より凹凸嵌合させることにより完成する。施工作業を上方よりの嵌合とし、施工が簡便でありながらも棚板の脱落を防いでいる。また、嵌合部を壁面方向基端に設けることと、上面がほぼ水平な凸条ｓ２により嵌合部を下方向からの打撃より保護することでも、棚板の脱落を防いでいる。【選択図】図１
0003116645.tif 000002
【実用新案登録請求の範囲】
【請求項１】
ネジ又はピンＦによって壁面Ｗに固定され、且つ上縁に上向きの凹条又は凸条ｓ１を形成し、且つ上面がほぼ水平な凸条ｓ２を手前方向に形成する垂直支持片Ｓに、壁面方向基端に下向きの凸条又は凹条ｔ１を形成する棚板Ｔを上方より凹凸嵌合することを特徴とする棚装置。
【請求項２】
請求項１の棚装置にあって、垂直支持片Ｓの凹条又は凸条ｓ１と凸条ｓ２と棚板Ｔの凹条又は凸条ｔ１が壁面に平行な長手方向のほぼ全長に渡って形成されることを特徴とする請求項１記載の棚装置。
【請求項３】
請求項１、２の棚装置にあって、垂直支持片Ｓと棚板Ｔの壁面に平行な長手方向の全長がほぼ等しく、且つ凹凸嵌合時に生じる垂直支持片Ｓと棚板Ｔの対辺間の距離が０．００５ｍ以下であることを特徴とする請求項１、２記載の棚装置。
【請求項４】
請求項１の棚装置にあって、複合棚板Ｃが、壁面方向基端に下向きの凸条又は凹条ｋ１を壁面に平行な水平方向に向かって形成し、且つ手前方向に二本の凸条ｋ２、ｋ３を形成した金属性の基部と、上面の壁面方向基端に前記凸条ｋ２と同じ深さの凹条ｂ１を設けた板Ｂより成り、前記凸条ｋ２と、板Ｂの凹条ｂ１が嵌合し一体化することで平滑な棚上面を形成することを特徴とする、請求項１記載の棚装置。
【考案の詳細な説明】
【技術分野】
【０００１】  本考案は、壁面に固定して使用する棚装置に関するものである。
【背景技術】
【０００２】  従来からネジ又はピンによって壁面に固定した支持部材に棚板を戴置又ははめ込んで使用する棚装置は公知であるが、ネジ又はピン又は隙間埋めパッキンなどで棚板を支持部材に固定しなければ、棚板が手前に引かれたり上方に跳ね上げられた際に棚板が脱落する危険があった。
【考案の開示】
【考案が解決しようとする課題】
【０００３】前記公知の技術によれば、棚板に手前又は上方向きの力が加わると、脱落してしまうという問題を回避する為に、ネジ又はピン又は隙間埋めパッキンなどを用いて棚板を支持部材へ固定する必要があり、施工段階での時間的、労働的負担やネジ又はピン又は隙間埋めパッキンなどが棚の美観を損なうことが問題であった。以上の課題を解決するために、本考案は、施工が簡便で脱落の危険が少なくネジやピンなどが見えない構造をあらかじめ備えたことを特徴とする棚装置を提供するものである。
【課題を解決するための手段】
【０００４】本考案の棚装置は上方よりの凹凸嵌合により支持部材と棚板を一体化させているため、凹凸嵌合部に真上方向の力が加わらない限り棚板が脱落しない。また凹凸嵌合部を壁面方向基端に配したことにより、棚板の下面に上向きの力がかかっても凹凸嵌合部にかかる力は凹凸嵌合部を中心としたモーメントとなり、棚板は脱落しない。また支持部材に突設された水平な上面を持つ凸条が、棚板への荷重を支えるだけでなく、凹凸嵌合部付近への下方向からの打撃を遮り、凹凸嵌合部に真上方向の力がかかることを防いでいる。また施工に使用するネジやピンなどは、支持部材と棚板が一体化することで隠れる為美観を損ねることが無い。
【考案の効果】
【０００５】  上述の様に本考案の棚装置は、支持部材への棚板の取り付けが上方より嵌め込むだけと言う施工の簡便さと、棚板が全体的に真上方向に持ち上げられない限り外れず脱落しにくいという安全性と、取り付けネジなどが完全に隠れる良好な美観を提供する。
【考案を実施するための最良の形態】
【０００６】  支持部材はネジ又はピンで壁面に固定され、棚板は壁面方向の基端で支持部材に上方より嵌め込まれ凹凸嵌合する。支持部材に手前方向に向かって突設された上面がほぼ水平な凸条は、凹凸嵌合時に棚板の下面と密着し棚板への荷重を支えるとともに、凹凸嵌合部付近への下方向からの打撃を遮る。凹凸嵌合部は棚板の壁面に平行な長手方向全長に渡って形成すれば、最も効果的に荷重や衝撃による棚板の脱落を防ぐことが出来る。棚板と支持部材は、ネジやピンや間隙を隠す為の覆片やサイドキャップ等を不要とすべく、壁面と平行な長手方向の全長がほぼ等しく、間隙なく一体化する様にする。
【実施例】
【０００７】  この考案の一実施形態を、図１に示す。ネジＦによって壁面Ｗに固定された垂直支持片Ｓは押し出し型材からなり、上縁に凸条ｓ１、中央付近にほぼ水平な上面を持つ凸条ｓ２をそれぞれ垂直支持片Ｓの長手方向全長に渡って形成している。棚板Ｔは押し出し型材から成り、壁方向基端に下向きの凹条ｔ１を棚板Ｔの長手方向全長に渡って形成している。本考案の棚装置はｓ１にｔ１を上方より嵌め込む事で完成する。棚板Ｔへの荷重は凹凸嵌合部と、垂直支持片Ｓの凸条ｓ２付近で支えられる。
【実施形態の効果】
【０００８】  この実施形態によれば、棚板に上方向や手前方向への力がかかっても嵌合部が止めとなり棚の脱落を防ぐ。支持部材に手前方向に向かって形成された上面がほぼ水平な凸条は、凹凸嵌合時に棚板の下面と密着し、棚板への荷重を支えるとともに、凹凸嵌合部付近への下方向からの打撃を遮り、棚の脱落を防ぐ。壁面に平行な長手方向全長に渡って形成された凹凸嵌合部は、広い範囲で荷重や衝撃による棚板の脱落を防ぐ。棚板と支持部材は、壁面と平行な長手方向の全長がほぼ等しく、間隙なく一体化する為、ネジやピンや間隙を隠す為の覆片やサイドキャップ等が不要である。
【他の実施形態】
【０００９】  図３、４の実施形態では、基部Ｋと板Ｂは狭持、又は接着で一体化しているが、強度向上の為ネジなどで固定し一体化してもよい。基部Ｋに隠れる場所にネジを配すれば、美観を損なうことも無く、製造工場でアッセンブリング時に行っておけば施工現場での負担は無い。
【図面の簡単な説明】
【００１０】
【図１】請求項１、２、３の考案を示す側面図である。
【図２】請求項１、２、３の考案を示す斜視図である。
【図３】請求項４の考案を示す側面図である。
【図４】請求項４の考案を示す斜視図である。
【符号の説明】
【００１１】Ｆ    ネジ
Ｗ    壁面
Ｓ    垂直支持片
Ｔ    棚板
Ｋ    基部
Ｂ    板
Ｃ    複合棚板
【図１】
0003116645.tif 000003
【図２】
0003116645.tif 000004
【図３】
0003116645.tif 000005
【図４】
0003116645.tif 000006
(57)【要約】      （修正有）【課題】履きやすく足指のカバーもできるスリッパを提供する。【解決の手段】足指保護のためのカバー部分にファスナーを付けることにより、履く時は、カバーを開けて４本の鼻緒の間に足指を入れやすくし、歩行時はカバーのファスナーを閉めて足指を保護し、指先を隠す事が出来る。【選択図】図２
0003116641.tif 000002
【実用新案登録請求の範囲】
【請求項１】
スリッパのカバー部分と底との接合部分にファスナーを設け、カバーを開閉可能にしたことを特長とするカバー付き５本指スリッパ。
【考案の詳細な説明】
【技術分野】
【０００１】  本考案は、鼻緒付きスリッパの鼻緒を足指間ごとに設けたスリッパに足指保護のための開閉できるカバーを付けたスリッパに関するものである。
【背景技術】
【０００２】鼻緒を足指間ごとに設けた鼻緒付きスリッパを履く時は、足指を１本１本鼻緒の間に手を使い、正しい位置に足指が入っているか確かめて履くため足指保護の為のカバーが付いていない。
【考案の開示】
【考案が解決しようとする課題】
【０００３】足指保護のためのカバーを付けると、足指間ごとに鼻緒を設けたスリッパを履く時に、足指を１本１本鼻緒の間の正しい位置に足指が入っているか確かめて履く事が出来ないという問題を解決しようとするものである。
【課題を解決するための手段】
【０００４】足指保護のカバーとスリッパ本体の接合部分にファスナーを付けることにより、足指保護のカバーを開閉出来るようにし、ファスナーを開けると内部の鼻緒部分が見え、ファスナーを閉めると従来の足指保護のカバーの機能が得られるようにし、問題を解決しています。
【考案の効果】
【０００５】足指保護のカバーとスリッパ本体の接合部分にファスナーを付けカバーを開閉式にしたので、履く時はカバーのファスナーを開けて、足指の間に正しく鼻緒が入っている事を確認しながら履くことが出来、歩行時にはカバーのファスナーを閉めると、従来のスリッパのカバーと同じように足指を保護し、指先を隠し普通のスリッパを履いているように見えるようになりました。
【考案を実施するための最良の形態】
【０００６】スリッパを履く時はカバーファスナーを開けて、足指を１本１本鼻緒の間の正しい位置に足指を入れることができ，歩行時はカバーのファスナーを閉めると足指を保護することが出来、しかも指先を隠す事が出来普通のスリッパを履いているように見えます。
【実施例】
【０００７】実施例について図面を用いて説明する。
スリッパの足底（１）とカバー（２）の接合部分にファスナー（３）を使用する。
ファスナーを開けることにより、鼻緒（４）が見える。
【図面の簡単な説明】
【０００８】
【図１】本考案のカバー付き５本指スリッパのファスナーを閉めた状態の図である
【図２】本スリッパのファスナーを開けた時の図である。
【符号の説明】
【０００９】１  足底
２  カバー
３  ファスナー
４  鼻緒
【図１】
0003116641.tif 000003
【図２】
0003116641.tif 000004
(57)【要約】      （修正有）【課題】野菜や食器洗浄の際水跳により使用者の被服を濡らす事を防止する。【解決手段】水跳防止具本体1はゴム又は軟質合成樹脂にて作られており平板状の基端片2と、この基端片2と連なって一体的に形成された半円状の水跳防止面部3とで成している。この水跳防止面部3がシンク内側に向かって凸状に形成されているので形状を保持し、常に直立状態を維持する。所謂、針金硬質プラスチック等の骨組を有すること無く保形成を維持する。これにより使用者の洗浄動作に支障の無い水跳防止具を提供出来るとともに、収納にかかる手間を省くことが出来る。【選択図】図1
0003116648.tif 000002
【実用新案登録請求の範囲】
【請求項１】
流し台のシンク本体の前面側縁部に位置すると共に、シンク内側に向かって凸状に形成されたゴム又は軟質合成樹脂製の水跳防止面部と、この水跳防止面部と一体に形成され、且つシンク本体の前面側縁部に添って着脱自在に取り付けられる基端片とでなしたことを特徴とした流し台用水跳防止具。
【請求項２】
水跳防止面部を、基端片との境にV字溝を形成し、その上下溝縁を接合することによって凸状に形成したことを特徴とした請求項1に記載の流し台用水跳防止具。
【請求項３】
水跳防止面部を基端片を中心に直立又は垂下する様にしたことを特徴とした請求項1〜2記載の流し台用水跳防止具。
【考案の詳細な説明】
【技術分野】
【０００１】
本考案は、流し台の水跳防止具に関する。
【背景技術】
【０００２】
従来の流し台はシンク本体の前面側縁部の高さがワークトップ高さと同一なので、野菜や食器洗浄の際水跳により使用者の被服をぬらす欠点があった。その解決策として上記参考文献技術が上げられるが、これらの技術には素材に軟質性を欠き作業動作に支障をきたす恐れが有る。又収納にかかる手間が必要となる。
【０００３】
【特許文献１】特開平7-327848
【特許文献２】特開平8-10179
【特許文献３】特開平10-113296
【考案の開示】
【考案が解決しようとする課題】
【０００４】
本考案は野菜や食器洗浄の作業動作に支障無く水跳による被服の濡れを防止することを目的とする。
【課題を解決するための手段】
【０００５】
本考案は軟質で尚且つ身体サイズに合わせて裁ち切り可能なゴム又は軟質合成樹脂を使用した水跳ね防止具であり、平板状であれば、直立状態を維持出来ずシンク内側又は手元側へ倒れる事となるが、シンク内側に向かって凸状に形成することにより形状を保持し、常に直立状態を維持する。
【考案の効果】
【０００６】
軟質素材を使用することによりシンク前面側縁部直下の形状により設置方法の選択が可能であり、身体移動と同時に自動的に垂下、収納状態となり、作業動作に支障をきたすことの無い収納の手間を省いた水跳防止具を提供出来る。
【考案を実施するための最良の形態】
【０００７】
以下本考案の実施の形態を図１〜図4に基づいて説明する。
【０００８】
図1は水跳防止具全体を示す正面図であって防止具本体1はゴム又は軟質合成樹脂にて作られており平板状の基端片2と、この基端片2と連なって一体的に形成された半円状の水跳防止面部3とで成している。しかして、この水跳防止面部3は凸状に形成される。具体的には両者2、３間に横向きのV字溝4を形成し、その上下溝縁4a、4bを接合することによって、水跳防止面部3が引っ張られ凸状となる。この水跳防止面部3が平板状のものであると直立状態を維持出来ず、シンク内側又は手元側へ倒れることとなるが、凸状に形成されているので形状を保持し、常に直立状態を維持する。所謂、針金硬質プラスチック等の骨組を有する事無く、保形性を維持する。
【０００９】
図2はシンク前面側縁部6直下に扉7がある流し台の場合の設置方法と収納状態であり、基端片2を扉7に挟んだ図である。
【００１０】
図3はシンク前面側縁部6直下がシンク前面側縁部6と一体となっている流し台の場合の設置方法と収納状態であり、基端片2の下方に開けただるま穴5に吸盤8を装着しシンク前面側縁部6直下に吸着させた図である。
【００１１】
図4は水跳防止具1の実際の使用例図であって、使用者Hの腹部9とシンク前面側縁部6とで挟む様にして使用するが、図2、3に示すごとく使用者に最適な位置に設置可能であり、さらには使用者Hがその場を離れるだけで図2、3の収納状態となり、収納にかかる手間が省ける。
【図面の簡単な説明】
【００１２】
【図１】水跳防止具本体の正面図
【図２】同上の取り付け状態を示す断面図
【図３】同上の異なる取り付け状態を示す断面図
【図４】水跳防止具の使用例図
【符号の説明】
【００１３】
1      水跳防止具本体
2      水跳防止具と一体的な基端片
3      水跳防止面部
6      前面側縁部
【図１】
0003116648.tif 000003
【図２】
0003116648.tif 000004
【図３】
0003116648.tif 000005
【図４】
0003116648.tif 000006
(57)【要約】      （修正有）【課題】雨が降ろうが風が吹こうが花火や線香に火を付けることが容易に安全に確実であると共に廉価で便利なライター着火装置を提供する。【解決手段】拳銃式ライター本体６のホルダー部にライター据付室を設け、ライター１を装填し、点火レバー３と引金部５をジョイントさせ引金５を引くと発火するようになっている。通常はカバー１０なしで活用し、太丸花火や危険性を伴うものに火を付ける際には火散防止カバー１０を取付け自在とし、危険防止に役立つ。【選択図】図１
0003116642.tif 000002
【実用新案登録請求の範囲】
【請求項１】
拳銃式ホルダーの先端側にライター据付室を設け、該ライター据付室にライターの点火弁を前方にしてライターを装填し、該ライターの点火弁に当接する点火レバーを前後進自在に取付け、該点火レバーの後部に引金部を設けたことを特徴とするライター着火装置。
【請求項２】
ライター据付室の先端に透明なプラスチックで形成された火散防止カバーを着脱自在に設けたことを特徴とする請求項１に記載のライター着火装置。
【考案の詳細な説明】
【技術分野】
【０００１】  本考案は拳銃式ホルダー内部にライター据付室を設け該ライター据付室にライターを装填させると共に該ホルダー先端部に風や危険防止のための火散防止カバーを取付け取外し自在としたライター着火装置に関するものである。
【背景技術】
【０００２】  花火やお墓参りにおいて線香に火を付けるのに困っていた。マッチやライター単独ではなかなか火を付けにくく、特に雨の日や風の日には火を付けるのに苦労していた。従ってその行為をするのに沢山マッチを使用するので残骸がゴミ公害となり、更にライター単独使用は時として熱を持ち火傷につながることもあった。
【考案の開示】
【考案が解決しようとする課題】
【０００３】  本考案は前逑に鑑みてなされたものであって、マッチやライター単独では時と場所や用途によって使えなかったことから、雨が降ろうが風が吹こうが花火や線香に火を付けることが容易に安全に確実であると共に廉価で便利なライター着火装置を提供することを課題とするものである。
【課題を解決するための手段】
【０００４】  上記課題を解決するための本考案に係るライター着火装置は拳銃式ライターのホルダー内部にライター据付室を設け、該据付室にライターを装填する。更に太丸花火や危険性のものは拳銃式ライターのホルダー先端部に火散防止カバーを取付けて使用すると共に取外し自在にしたことで問題点を解決している。
【考案の効果】
【０００５】  本考案のライター着火装置を拳銃式形状にし該本体のホルダー内部にライター据付室を設け、該本体のホルダー先端に火散防止カバーを取付け形成するようにしたので構造的にも安全であり、簡単で廉価であるにも拘わらず火傷等しないように火を付けるという実用的効果を有する。
【考案を実施するための最良の形態】
【０００６】    考案の実施の一形態を図１から図４に基づいて説明する。図１から図３はライター着火装置６を示すもので該ライター着火装置６のホルダー先端部にライター据付室２ａを設け着脱自在とし更に該先端に火散防止カバー９を取付け着脱自在にした。図４はライターを着火させる時のレバー３と引金５との関連図である。【０００７】  以下、添付図面に従って一実施例を説明する。本考案に係わるライター着火装置６はホルダー２の先端側に火散防止カバー９を取付け着脱自在とし、ライター１の点火弁１０をライター点火レバー３と引金５をジョイント４させて引金５を引くことで発火する仕組みである。ホルダー２は耐久性のプラスチック等適宣素材にて形成され、又ガスがなくなった時はライター点火レバー３引金５のジョイント４を外すことでライター１の交換自在である。更に引金５を引き易くするための持手柄７を付け、該下部に保全用紐穴８を設けた。【０００８】  風や危険を伴うものに火を付ける時は火散防止カバー９を取付け着脱自在とし通常はライター着火装置本体６のみで活用する。又目の弱い方やお年寄りの方のために炎を見易いように火散防止カバー９を透明な素材にしている。従って不燃性の合成樹脂で燃えない材質で軽くて且つ廉価な材料であればよい。【０００９】  図５は本考案のライター着火装置６を用いて風防点火器１１のロウソク１２に着火する場合を示すものである。該風防点火器１１透明なランプ状の硝子容器１３の側面に点火口１４を開口し、ここからライター着火装置６の先端側を挿入して、ロウソク１２に着火するものである。【００１０】  本考案は拳銃式ライター形状にし該本体のホルダー２先端側にライター据付室２ａを設け更に先端に火散防止カバー９を取付け、着脱自在とし、特に雨や風等が強い日には風防点火器１１と併用することで花火や線香等に確実に火を付けることができる簡単なライター着火装置６である。
【図面の簡単な説明】
【００１１】
【図１】本考案はライター着火装置の一実施例を示す側面図である。
【図２】本考案はライター着火装置の一実施例を示す一部破断した斜視図である。
【図３】本考案はライター着火装置の一実施例を示す火散防止カバー拡大図である。
【図４】本考案はライター着火装置の一実施例を示す点火レバーと引金部の関連図である。
【図５】本考案のライター着火装置により風防点火器に着火している状態を示す側面図である。
【符号の説明】
【００１２】１    ライター
２    ホルダー
２ａ  ライター据付室
３    ライター点火レバー
４    ジョイント部
５    引金
６    ライター着火装置
７    持手柄
８    保全用紐穴
９    火散防止カバー
１０  ライター点火弁
１１  風防点火器
１２  ロウソク
１３  点火口
１４  開口部
１５  把手
１６  ロウソク立て金具
【図１】
0003116642.tif 000003
【図２】
0003116642.tif 000004
【図３】
0003116642.tif 000005
【図４】
0003116642.tif 000006
【図５】
0003116642.tif 000007